【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
オリジナルのデータに外部ＥＣエンコーダを適用し、引き続いて少なくとも１つの内部ＥＣエンコーダを適用することによって作り出されたＥＣ符号化されたデータを復号化するための方法であって、
（ａ）第１の復号化されたデータを作り出すために前記ＥＣ符号化されたデータに、前記少なくとも１つの内部ＥＣエンコーダに対応する少なくとも１つの内部ＥＣデコーダを適用するステップと、
（ｂ）第２の復号化されたデータを作り出すために前記第１の復号化されたデータに、前記外部ＥＣエンコーダに対応する少なくとも１つの反復型ＥＣデコーダを適用するステップと、
（ｃ）出力の復号化されたデータを作り出すために前記第２の復号化されたデータに、前記外部ＥＣエンコーダに対応する代数型ＥＣデコーダを適用するステップとを含む方法。
【請求項２】
前記少なくとも１つの内部ＥＣデコーダが反復型ＥＣデコーダを含む、請求項１に記載の方法。
【請求項３】
前記少なくとも１つの内部ＥＣデコーダが低密度パリティ・チェック（ＬＤＰＣ）デコーダを含み、前記少なくとも１つの反復型ＥＣデコーダが反復型アレイ・デコーダを含み、前記代数型ＥＣデコーダが代数型アレイ・デコーダである、請求項１に記載の方法。
【請求項４】
前記ＥＣ符号化されたデータが、（１）記号の第１のブロックを作り出すために前記オリジナルのデータに前記外部ＥＣエンコーダを適用するステップ、および（２）符号語の第１のブロックを作り出すために前記記号の第１のブロックに前記少なくとも１つの内部ＥＣエンコーダを適用するステップによって作り出された符号語の第１のブロックに対応する符号語の第２のブロックを含み、
ステップ（ａ）が、前記第１の復号化されたデータを作り出すために前記ＥＣ符号化されたデータの中の各々の符号語を別々に復号化するステップを含み、
前記第１の復号化されたデータが前記記号の第１のブロックに対応する記号の第２のブロックを含み、
前記少なくとも１つの内部ＥＣデコーダによる前記符号語のうちの少なくとも１つの復号化が前記記号の第２のブロックの中に２つ以上の記号を作り出す、請求項１に記載の方法。
【請求項５】
ステップ（ａ）がさらに、チャンネルから前記ＥＣ符号化されたデータを受け取るためにチャンネル検出器を適用するステップを含む、請求項１に記載の方法。
【請求項６】
外因性の情報が前記少なくとも１つの内部ＥＣデコーダから前記チャンネル検出器へと送られるか、
外因性の情報が前記少なくとも１つの反復型ＥＣデコーダから前記チャンネル検出器へと送られるか、
外因性の情報が前記少なくとも１つの反復型ＥＣデコーダから前記少なくとも１つの内部ＥＣデコーダへと送られるかのうちの、少なくとも１つである、請求項５に記載の方法。
【請求項７】
オリジナルのデータに外部ＥＣエンコーダを適用し、引き続いて少なくとも１つの内部ＥＣエンコーダを適用することによって作り出されたＥＣ符号化されたデータを復号化するための連結されたデコーダであって、
（ａ）第１の復号化されたデータを作り出すために前記ＥＣ符号化されたデータを復号化するように構成され、前記少なくとも１つの内部ＥＣエンコーダに対応する少なくとも１つの内部ＥＣデコーダと、
（ｂ）第２の復号化されたデータを作り出すために前記第１の復号化されたデータを復号化するように構成され、前記外部ＥＣエンコーダに対応する少なくとも１つの反復型ＥＣデコーダと、
（ｃ）出力の復号化されたデータを作り出すために前記第２の復号化されたデータを復号化するように構成され、前記外部ＥＣエンコーダに対応する代数型ＥＣデコーダとを有するデコーダ。
【請求項８】
前記ＥＣ符号化されたデータが、（１）記号の第１のブロックを作り出すために前記オリジナルのデータに前記外部ＥＣエンコーダを適用するステップ、および（２）符号語の第１のブロックを作り出すために前記記号の第１のブロックに前記少なくとも１つの内部ＥＣエンコーダを適用するステップによって作り出された符号語の第１のブロックに対応する符号語の第２のブロックを含み、
前記少なくとも１つの内部ＥＣデコーダが、前記第１の復号化されたデータを作り出すために前記ＥＣ符号化されたデータの中の各々の符号語を別々に復号化するように構成され、
前記第１の復号化されたデータが前記記号の第１のブロックに対応する記号の第２のブロックを含み、
前記少なくとも１つの内部ＥＣデコーダによる前記符号語のうちの少なくとも１つの復号化が前記記号の第２のブロックの中に２つ以上の記号を作り出す、請求項７に記載のデコーダ。
【請求項９】
（１）記号の第１のブロックを作り出すためにデータの第１のブロックに外部エンコーダを適用するステップ、および（２）符号語の第１のブロックを作り出すために前記記号の第１のブロックに少なくとも１つの内部エンコーダを適用するステップによって作り出されたＥＣ符号化されたデータを復号化するための方法であって、
（ａ）前記符号語の第１のブロックに対応する符号語の第２のブロックを復号化するために少なくとも１つの内部デコーダを適用するステップであって、前記符号語の第２のブロックの復号化が前記記号の第１のブロックに対応する記号の第２のブロックを作り出し、前記内部デコーダが前記符号語の第２のブロックの中の各々の符号語を別々に復号化し、少なくとも１つの符号語が前記内部デコーダによって復号化されることで前記記号の第２のブロックの中に２つ以上の記号を作り出すステップと、
（ｂ）前記データの第１のブロックに対応するデータの第２のブロックを作り出すために代数の復号化仕組みを前記記号の第２のブロックに適用するステップとを含み、
前記少なくとも１つの内部デコーダがＬＤＰＣデコーダから成り、
前記少なくとも１つの内部デコーダがＬＤＰＣデコーダから成り、および
前記代数型外部デコーダが代数型アレイデコーダである、のうちの少なくとも１つが成りたつ方法。
【請求項１０】
（１）記号の第１のブロックを作り出すためにデータの第１のブロックに外部エンコーダを適用するステップ、および（２）符号語の第１のブロックを作り出すために前記記号の第１のブロックに少なくとも１つの内部エンコーダを適用するステップによって作り出されたＥＣ符号化されたデータを復号化するための連結されたデコーダであって、
前記符号語の第１のブロックに対応する符号語の第２のブロックを復号化するように構成された少なくとも１つの内部デコーダであって、前記符号語の第２のブロックの復号化が前記記号の第１のブロックに対応する記号の第２のブロックを作り出し、前記内部デコーダが前記符号語の第２のブロックの中の各々の符号語を別々に復号化し、少なくとも１つの符号語が前記内部デコーダによって復号化されることで前記記号の第２のブロックの中に２つ以上の記号を作り出すような内部デコーダと、
前記データの第１のブロックに対応するデータの第２のブロックを作り出すために代数の復号化仕組みを前記記号の第２のブロックに適用するように構成された代数型外部デコーダとを備え、
前記少なくとも１つの内部デコーダがＬＤＰＣデコーダから成り、
前記少なくとも１つの内部デコーダがＬＤＰＣデコーダから成り、および
前記代数型外部デコーダが代数型アレイデコーダである、のうちの少なくとも１つが成りたつ、連結されたデコーダ。